(57)【特許請求の範囲】
【請求項１】
扉枠側に設けた一次側ユニットと、扉枠に支持される開閉扉側に設けた二次側ユニットと、開閉扉に配置した電気錠装置とを有し、一次側ユニットから二次側ユニットへ非接触給電を行うことによって、扉枠側から一次側ユニットおよび二次側ユニットを介して電気錠装置に電力供給する電気錠システムであって、
一次側ユニットは、磁性材料により形成され開閉扉に磁極面を対向させるようにして扉枠側に配置される一次側コアと、一次側コアに巻回された一次側コイルと、一次側コイルに高周波電力を供給する高周波電源部を備えるとともに、二次側ユニットは、磁性材料により形成され、開閉扉が閉まった状態で一次側コアと磁極面同士が対向するように開閉扉に配置された二次側コアと、二次側コアに巻回される二次側コイルと、二次側コイルから供給される高周波を安定化して電気錠装置に動作電力を供給する安定化電源部とを備え、
一次側コアは、扉枠内に固定されて一次側コイルが巻回される巻付部と、当該巻付部とは別体に形成され巻付部の両端部と二次側コアとの間の磁路をそれぞれ形成する脚部とを備え、各脚部は、扉枠から開閉扉側へ突出する突出位置と扉枠内に収納される収納位置との間で移動自在に配置され、
少なくとも施解錠時に各脚部を収納位置から突出位置に向かって移動させる駆動手段を一次側ユニットに設けたことを特徴とする電気錠システム。
【請求項２】
駆動手段が、停止位置を保持する自己保持形の直動ソレノイドからなることを特徴とする請求項１記載の電気錠システム。
【請求項３】
駆動手段が、各脚部を収納位置側へ付勢する付勢手段と、扉枠から開閉扉側に突出する位置と扉枠内に収納される位置との間で移動自在に設けられたレバー部と、閉じられた開閉扉がレバー部を押す力によって付勢手段の付勢力に抗して脚部を突出位置に向かって移動させるとともに、開閉扉が開けられてレバー部を押す力が無くなると付勢手段の付勢力によって脚部を収納部内に移動させるリンク機構とを備えたことを特徴とする請求項１記載の電気錠システム。
【請求項４】
開閉扉側と当接する脚部の部位、又は、脚部が当接する開閉扉側の部位のうち少なくとも何れか一方に緩衝部材を設けたことを特徴とする請求項１乃至３の何れか１項に記載の電気錠システム。
【請求項５】
各脚部は、弾性を有し開閉扉の開閉方向に沿って回転する回転体を有し、駆動手段が、回転体の回転軸を開閉扉側に付勢する弾性付勢手段からなることを特徴とする請求項１記載の電気錠システム。
【発明の詳細な説明】
【技術分野】
【０００１】
本発明は、電気錠システムに関するものである。
【背景技術】
【０００２】
近年、集合住宅や事業所などへのセキュリティシステムの導入によって、開閉扉に電気錠装置を設置する事例が増加している。デッドボルトを出し入れする電気錠装置は開閉扉側に設けられているので、扉枠側に設けた一次側ユニットと、開閉扉に設けた二次側ユニットとの間で非接触給電を行うことにより、扉枠側から一次側ユニットおよび二次側ユニットを介して電気錠装置に給電する電気錠システムが提供されていた。
【０００３】
従来の電気錠システムとしては例えば特許文献１に示されるものが提供されており、一次側ユニットは、一次側コイルと一次側コイルに高周波電力を供給する高周波電源部を備えるとともに、二次側ユニットは、開閉扉が閉じた状態で一次側コイルに磁気結合される二次側コイルと二次側コイルから供給される高周波を安定化して電気錠装置に動作電力を供給する安定化電源部を備えている。そして、一次側ユニットの一次側コイルと、二次側ユニットの二次側コイルとの間を磁気的に結合させることで、一次側ユニットから二次側ユニットへ非接触で電力供給を行うようになっている。
【特許文献１】特許第３９２７２７２号公報
【発明の開示】
【発明が解決しようとする課題】
【０００４】
上述のような電気錠システムでは、開閉扉の種類や施工条件によってチリ寸法がばらつくと、一次側コイルのコアと二次側コイルのコアとの磁極対向距離にばらつきが発生するという問題があった。また経年による蝶番の緩みやズレに伴って開閉扉の建て付けが悪化すると、磁極対向距離が変動する場合があった。そして磁極対向距離が大きくなると、一次側コイルと二次側コイルとの磁気結合が低下するため、一次側の高周波電源部を同じ条件で動作させた場合は、磁極対向距離の増加に伴って二次側への給電能力が低下し、所望の給電能力を得られなくなるという問題があった。
【０００５】
本発明は上記問題点に鑑みて為されたものであり、その目的とするところは、チリ寸法に関わらず低損失で所望の給電能力を得ることができる電気錠システムを提供することにある。
【課題を解決するための手段】
【０００６】
上記目的を達成するために、請求項１の発明は、扉枠側に設けた一次側ユニットと、扉枠に支持される開閉扉側に設けた二次側ユニットと、開閉扉に配置した電気錠装置とを有し、一次側ユニットから二次側ユニットへ非接触給電を行うことによって、扉枠側から一次側ユニットおよび二次側ユニットを介して電気錠装置に電力供給する電気錠システムであって、一次側ユニットは、磁性材料により形成され開閉扉に磁極面を対向させるようにして扉枠側に配置される一次側コアと、一次側コアに巻回された一次側コイルと、一次側コイルに高周波電力を供給する高周波電源部を備えるとともに、二次側ユニットは、磁性材料により形成され、開閉扉が閉まった状態で一次側コアと磁極面同士が対向するように開閉扉に配置された二次側コアと、二次側コアに巻回される二次側コイルと、二次側コイルから供給される高周波を安定化して電気錠装置に動作電力を供給する安定化電源部とを備え、一次側コアは、扉枠内に固定されて一次側コイルが巻回される巻付部と、当該巻付部とは別体に形成され巻付部の両端部と二次側コアとの間の磁路をそれぞれ形成する脚部とを備え、各脚部は、扉枠から開閉扉側へ突出する突出位置と扉枠内に収納される収納位置との間で移動自在に配置され、少なくとも施解錠時に各脚部を収納位置から突出位置に向かって移動させる駆動手段を一次側ユニットに設けたことを特徴とする。
【０００７】
請求項２の発明は、請求項１の発明において、駆動手段が、停止位置を保持する自己保持形の直動ソレノイドからなることを特徴とする。
【０００８】
請求項３の発明は、請求項１の発明において、駆動手段が、各脚部を収納位置側へ付勢する付勢手段と、扉枠から開閉扉側に突出する位置と扉枠内に収納される位置との間で移動自在に設けられたレバー部と、閉じられた開閉扉がレバー部を押す力によって付勢手段の付勢力に抗して脚部を突出位置に向かって移動させるとともに、開閉扉が開けられてレバー部を押す力が無くなると付勢手段の付勢力によって脚部を収納部内に移動させるリンク機構とを備えたことを特徴とする。
【０００９】
請求項４の発明は、請求項１乃至３の何れか１項の発明において、開閉扉側と当接する脚部の部位、又は、脚部が当接する開閉扉側の部位のうち少なくとも何れか一方に緩衝部材を設けたことを特徴とする。
【００１０】
請求項５の発明は、請求項１の発明において、各脚部は、弾性を有し開閉扉の開閉方向に沿って回転する回転体を有し、駆動手段が、回転体の回転軸を開閉扉側に付勢する弾性付勢手段からなることを特徴とする。
【発明の効果】
【００１１】
請求項１の発明によれば、少なくとも施解錠時には、駆動手段が一次側コアの各脚部を収納位置から突出位置に向かって移動させているので、一次側コアの脚部を二次側コアの磁極面に近付けることによって、一次側コアと二次側コアとの間の磁極対向距離を短縮することができる。したがって、一次側コアと二次側コアとの間の磁気結合が高い状態で、一次側ユニットと二次側ユニットとの間の非接触給電を行うことができ、低損失で所望の給電能力が得られる電気錠システムを実現できるという効果がある。
【００１２】
請求項２の発明によれば、駆動手段を自己保持形の直動ソレノイドで構成しているから、脚部を移動させる間だけ直動ソレノイドに通電すれば良く、脚部を移動させるとき以外は直動ソレノイドへの給電が不要なので、電力消費を低減できるという効果がある。
【００１３】
請求項３の発明によれば、開閉扉を閉める際に開閉扉でレバー部が押されると、リンク機構が付勢手段の付勢力に抗して脚部を突出位置に向かって移動させているので、開閉扉を閉じた状態では一次側コアの脚部を突出位置側へ移動させて、一次側コアと二次側コアとの磁極対向距離を短縮することができる。しかも、リンク機構は、開閉扉がレバー部を押す力を受けて、各脚部を突出位置に向かって移動させているので、脚部を移動させるための電力が不要になり、電気錠システムの消費電力を低減できるという効果がある。
【００１４】
請求項４の発明によれば、一次側コアの脚部と開閉扉側の部位との間に緩衝部材が存在するので、一次側コアの脚部が開閉扉側の部位と当接する際の衝突音を小さくできるという効果がある。また、一次側コアの脚部が開閉扉と衝突する際の衝撃が緩衝部材によって緩和されるので、一次側コアの機械的強度を高めることができる。
【００１５】
請求項５の発明によれば、弾性付勢手段が回転体の回転軸を開閉扉側に付勢しているので、回転体を二次側コイルの磁極面に近付けることによって、一次側コアと二次側コアとの磁極対向距離を短縮でき、磁気結合が高い状態で一次側ユニットと二次側ユニットとの間の非接触給電を行うことができる。しかも、弾性付勢手段が回転体の回転軸を付勢することによって、各脚部が備える回転体を突出位置側に移動させているので、脚部を移動させるための電力が不要になり、電気錠システムの消費電力を低減できるという効果もある。さらに回転体は弾性を有しているので、回転体に開閉扉が当接する際の衝突音を小さくできるという効果もありる。また回転体が開閉扉と衝突する際の衝撃が回転体自体の弾性で緩和されるから、一次側コアの機械的強度を高めることができる。
【発明を実施するための最良の形態】
【００１６】
以下に本発明の実施の形態を図面に基づいて説明する。
【００１７】
（実施形態１）
図６に本実施形態の電気錠システムの概略構成図を示す。この電気錠システムは、例えば玄関扉のような開閉扉１２を遠隔から施錠又は解錠するために用いられ、開閉扉１２に設けられた電気錠装置４と、蝶番１１を介して開閉扉１２を開閉自在に支持する扉枠１０側から電気錠装置４に給電するための非接触給電装置１と、宅内に設置された電気錠操作器５および操作子機６，６と、屋外に設置された非接触キーリーダ７およびシークレットスイッチ８とを主要な構成として備えている。
【００１８】
操作子機６は施解錠操作のための操作釦６ａを有し、操作釦６ａが押操作されると電気錠操作器５に操作信号を出力する。
【００１９】
電気錠操作器５は、施解錠操作のための操作釦５ａを備えるとともに、操作子機６が接続される子機接続端子（図示せず）を有し、操作釦５ａが押操作されるか、又は、操作子機６から操作信号が入力されると、信号線９を介して非接触給電装置１に施解錠命令を送信する。
【００２０】
非接触キーリーダ７は、建物の外側にいる家人がＩＤタグ７ａやＩＣカード７ｂを用いて電気錠装置４を施錠又は解錠させるために用いられる。ユーザがＩＤタグ７ａ又はＩＣカード７ｂを非接触キーリーダ７の読み取り部７ｃに近付けると、非接触キーリーダ７とＩＤタグ７ａ又はＩＣカード７ｂとの間で非接触通信が行われ、ＩＤタグ７ａ又はＩＣカード７ｂから識別情報が読み取られる。非接触キーリーダ７は、読み取った識別情報を予め登録してある識別情報と照合し、両者が一致すると、信号線９を介して非接触給電装置１に施解錠命令を送信する。
【００２１】
シークレットスイッチ８は、建物の外側にいる家人が暗証番号を入力することによって、電気錠装置４を施錠又は解錠させるために用いられる。シークレットスイッチ８の前面には、０〜９までの番号キー８ａと、スタートキー８ｂと、エンドキー８ｃと、施解錠状態を示す表示ランプ８ｄとが設けられ、各キー８ａ〜８ｃおよび表示ランプ８ｄはカバー８ｅによって開閉自在に覆われている。ユーザがカバー８ｅを開けてスタートキー８ｂを押した後、番号キー８ａを用いて所定の桁数の暗証番号を入力し、最後にエンドキー８ｃを押すと、シークレットスイッチ８が、入力された暗証番号を予め登録されている暗証番号と照合し、両者が一致すると、信号線９を介して非接触給電装置１に施解錠命令を送信する。
【００２２】
非接触給電装置１は、扉枠１０に設けた一次側ユニット２と、開閉扉１２に設けた二次側ユニット３とで構成され、一次側ユニット２と二次側ユニット３との間で非接触給電を行うことによって、一次側ユニット２から二次側ユニット３を介して電気錠装置４に動作電力を供給する。また一次側ユニット２は、電気錠操作器５や非接触キーリーダ７やシークレットスイッチ８から施解錠命令を受信すると、二次側ユニット３との間で例えば赤外線を用いた無線通信を行うことにより二次側ユニット３へ施解錠命令を送信し、二次側ユニット３により電気錠装置４に施解錠動作を行わせるようになっている。
【００２３】
而して、この電気錠システムでは、宅内に設置された電気錠操作器５や操作子機６の操作釦５ａ，６ａを押操作したり、宅外に設置された非接触キーリーダ７にＩＤタグ７ａ又はＩＣカード７ｂをかざしたり、宅外に設置されたシークレットスイッチ８に暗証番号を入力することによって、非接触給電装置１に施解錠命令が送信され、非接触給電装置１により電気錠装置４に施解錠動作を行わせることができる。
【００２４】
次に、非接触給電装置１の構成および動作について図１〜図５を参照してより詳細に説明する。
【００２５】
非接触給電装置１の一次側ユニット２は、図３に示すように一次側コイルｎ１と、商用電源ＡＣを整流する整流回路２１と、整流回路２１の直流出力端間に接続された平滑コンデンサＣ１と、スイッチング電源回路２２と、制御ＩＣ２３と、マイコン２４と、通信回路２５と、駆動部２６と、自己保持形の直動ソレノイド２７とを主要な構成として備える。
【００２６】
商用電源ＡＣは整流回路２１によって整流されるとともに、平滑コンデンサＣ１によって平滑された後、スイッチング電源回路２２の一次側に入力される。
【００２７】
スイッチング電源回路２２は、入力電源（平滑コンデンサＣ１の両端電圧）をスイッチングすることによって、入力電源を高周波に変換し、一次側コイルｎ１に供給する。
【００２８】
制御ＩＣ２３は、スイッチング電源回路２２のスイッチング動作を制御する制御回路が集積化されたものであり、マイコン２４から入力される制御信号に応じてスイッチング動作を制御する。
【００２９】
通信回路２５は、例えば赤外線を用いたワイヤレス通信を行うことにより、二次側ユニット３との間で信号を授受する。
【００３０】
駆動部２６は、マイコン２４から入力される制御信号に応じて直動ソレノイド２７に励磁電流を流し、直動ソレノイド２７のプランジャ２７ａを前進又は後進させる。
【００３１】
マイコン２４は、信号線９を介して外部から施解錠命令が入力されると駆動部２６に制御信号を出力して、各脚部４４を突出位置側へ移動させるとともに、通信回路２５を介して二次側ユニット３に施解錠命令を送信する。また電気錠装置４による施解錠動作が完了すると、マイコン２４は、脚部を収納させる制御信号を駆動部２６に出力して、駆動部２６により各脚部４４を収納位置へ移動させる。
【００３２】
一方、二次側ユニット３は、二次側コイルｎ２と、整流・平滑回路３１と、スイッチＳＷ１と、ＤＣ−ＤＣコンバータ３２と、制御回路３３と、通信回路３４とを主要な構成として備えている。
【００３３】
整流・平滑回路３１は、二次側コイルｎ２から供給される高周波を安定化（整流、平滑）して所定電圧値の直流電圧に変換し、スイッチＳＷ１を介して電気錠装置４に供給する。
【００３４】
ＤＣ−ＤＣコンバータ３２は、整流・平滑回路３１の出力電圧を所定電圧値の直流電圧に変換して制御回路３３に供給する。ここにおいて、整流・平滑回路３１とＤＣ−ＤＣコンバータ３２とで、二次側コイルｎ２から供給される高周波を安定化して電気錠装置４および制御回路３３に供給する安定化電源部が構成される。
【００３５】
通信回路３４は、例えば赤外線を用いたワイヤレス通信を行うことにより、一次側ユニット２の通信回路２５との間で信号を授受する。
【００３６】
制御回路３３は、通信回路３４を介して施解錠命令が入力されるとスイッチＳＷ１をオンして電気錠装置４に電源を供給させるとともに、電気錠装置４に開閉信号を与え、電気錠装置４により施錠又は解錠動作を行わせる。また制御回路３３は、待機時にスイッチＳＷ１をオフして電気錠装置４への給電を遮断しており、無駄な電力消費を抑制している。
【００３７】
次に、二次側コイルｎ２とともに磁気トランスを構成する一次側コイルｎ１について図１、図２および図７を参照して説明する。
【００３８】
一次側コイルｎ１は、開閉扉１２を閉じた状態で二次側ユニット３が対向する扉枠１０の部位に配設される。図１及び図２に示すように、一次側コイルｎ１はボビン４５に巻回されており、ボビン４５を軸方向に貫通する中心孔に一次側コア４２の巻付部４３が挿入されている。なお、一次側コイルｎ１とボビン４５と巻付部４３とで構成されるコイルブロック４６は、図示しない保持手段を介して扉枠１０内部に固定されている。
【００３９】
また開閉扉１２の内部には、磁性材料により略Ｕ字形に形成された二次側コア５０が両脚片５０ａの磁極面を扉枠１０側に向けた状態で配置されており、磁性材料からなる一次側コア４２は、上記の巻付部４３と、巻付部４３の両端部と二次側コア５０との間の磁路Ｂをそれぞれ形成する脚部４４，４４とで構成される。両脚部４４，４４は巻付部４３とは別体であって、側面視の形状が逆Ｔ字形に形成され、非磁性体により上面が開口した略箱状に形成されたケース４１の内部に収納されている。ケース４１の内部は仕切り壁によって３つの収納室に仕切られ、左右両側の収納室にはそれぞれ脚部４４，４４が収納され、扉枠１０に固定されたコイルブロック４６が中央の収納室に配置されている。ケース４１は、扉枠１０の内部に上下方向に沿って設けられた丸棒状のガイドレール１０ａ，１０ａに左右両側面が係合することで、ケース４１が扉枠１０内に収納される収納位置（図１（ａ）に示す位置）と、扉枠１０から開閉扉１２側へ突出する突出位置（図１（ｂ）に示す位置）との間で上下方向において移動自在に配置されている。またケース４１は連結ブロック４７を介して直動ソレノイド２７のプランジャ２７ａに連結されており、プランジャ２７ａの前進又は後進に応じて、ケース４１が突出位置又は収納位置に移動されるようになっている。連結ブロック４７は中空の箱状であってケース４１の左側面に一体的に固定され、上面に設けた貫通孔を通してプランジャ２７ａの先端側が箱内に挿入されている。プランジャ２７ａの先端部には貫通孔よりも大径の大径部２７ｂが設けられ、大径部２７ｂと連結ブロック４７の下面との間にはコイルばね４８が介装されている。ここにおいて、脚部４４，４４と、両脚部４４を収納するケース４１と、ケース４１と一体に設けられた連結ブロック４７などから可動コアブロック４０が構成される。
【００４０】
次に、本実施形態の電気錠システムの動作について図４及び図５を参照して説明する。電気錠装置４が施解錠動作を行っていない待機時には、可動コアブロック４０は扉枠１０内に収納されている。
【００４１】
この待機時において、図５の時刻ｔ１に電気錠操作器５の操作釦５ａが操作されるか、操作子機６の操作釦６ａが操作されると（図４のステップＳ１）、電気錠操作器５から一次側ユニット２のマイコン２４に施解錠命令が入力される（ステップＳ２）。マイコン２４は、施解錠命令が入力されると、時刻ｔ２において可動コアブロック４０を突出させる制御信号（突出命令）を駆動部２６に出力する（ステップＳ３）。
【００４２】
このとき、駆動部２６が直動ソレノイドに励磁電流を供給してプランジャ２７ａを前進させる。プランジャ２７ａが前進すると、プランジャ２７ａの大径部２７ｂがコイルばね４８の一端側を押圧することによって、コイルばね４８の他端が連結ブロック４７の底面を下方に押圧し、連結ブロック４７を下側へ移動させるので、連結ブロック４７と共にケース４１が扉枠１０の開口１０ｂから開閉扉１２側へ突出する。ここで、扉枠１０と開閉扉１２との間のチリ寸法がプランジャ２７ａの最大ストローク以上であれば、図７（ｂ）に示すように直動ソレノイド２７のプランジャ２７ａが最大ストロークまで突出するが、チリ寸法がプランジャ２７ａの最大ストロークよりも小さい場合、図１（ｂ）及び図７（ｃ）に示すようにプランジャ２７ａが前進する途中でケース４１の下面（緩衝部材４９の下面）が開閉扉１２の上面と当接して、ケース４１の下方への移動が停止され、以後はプランジャ２７ａの前進移動に応じてコイルばね４８が撓められるので、コイルばね４８のばね力によってケース４１の下面が開閉扉１２に密着させられる。
【００４３】
ところで、上述のようにチリ寸法がプランジャ２７ａの最大ストローク以上であれば、脚部４４の突出量の変化は図５中に破線で示す軌跡となり、脚部４４の最大突出量Ｄ２はプランジャ２７ａの最大ストロークと等しくなる。一方、チリ寸法がプランジャ２７ａの最大ストローク未満であれば、脚部４４の突出量の変化は図５中に実線で示す軌跡となり、時刻ｔ３においてケース４１の下面が開閉扉１２に当接した後はケース４１の下方への移動が規制され、ケース４１の下面が開閉扉１２を押圧するので、ケース４１の下面と開閉扉１２とが隙間なく接触する。一方、時刻ｔ７で収納命令が出された後も、プランジャ２７ａが後退して、プランジャ２７ａの大径部２７ｂが連結ブロック４７の上面と当接するまでの間（時刻ｔ７〜ｔ８）はケース４１の位置は変化せず、大径部２７ｂが連結ブロック４７の上面に当接した後にケース４１が上側へ移動を開始し、時刻ｔ９において収納位置まで移動する。
【００４４】
そして、プランジャ２７ａが最大ストロークまで前進するのに必要な時間が経過した後（時刻ｔ４以後）に、通信回路２５から二次側ユニット３へ施解錠命令を出力させる（ステップＳ４）。二次側ユニット３では通信回路３４が施解錠命令を受信して制御回路３３に送信し、制御回路３３が、スイッチＳＷ１をオンして整流・平滑回路３１から電気錠装置４に電力を供給させるとともに、電気錠装置４に施解錠命令を出力して、電気錠装置４に施錠又は解錠動作を行わせる（時刻ｔ５〜ｔ６）。
【００４５】
その後、電気錠装置４の施解錠動作が完了すると、電気錠装置４から施解錠動作完了信号が制御回路３３に送られ、制御回路３３では、この施解錠動作完了信号を通信回路３４から一次側ユニット２へ送信させる（ステップＳ５）。一次側ユニット２では、通信回路２５が施解錠動作完了信号を受信してマイコン２４に出力しており、マイコン２４が、時刻ｔ７において施解錠動作完了信号を受信すると、可動コアブロック４０を収納させる制御信号（収納命令）を駆動部２６に出力する（ステップＳ６）。このとき、駆動部２６が直動ソレノイドに励磁電流を供給してプランジャ２７ａを後退させる。プランジャ２７ａが後退すると、プランジャ２７ａの大径部２７ｂが連結ブロック４７の貫通孔周縁部と当接し、プランジャ２７ａの後退に応じて連結ブロック４７を上側へ移動させるので、連結ブロック４７と共にケース４１が扉枠１０内に収納される（時刻ｔ９）。そして、可動コアブロック４０が収納位置まで移動した状態では、ケース４１の下面が扉枠１０の下面と略同じ高さ位置に配置されているので、その後開閉扉１２を閉じる際に開閉扉１２がケース４１と干渉するのを防止することができる。
【００４６】
上述のように本実施形態の電気錠システムでは、施解錠時には駆動部２６が直動ソレノイド２７を励磁して、一次側コア４２の各脚部４４を収納位置から突出位置に向かって移動させているので、一次側コア４２の脚部４４を二次側コア５０の磁極面に近付けることによって、一次側コア４２と二次側コア５０との間の磁極対向距離を短縮することができる。したがって、一次側コア４２と二次側コア５０との間の磁気結合が高い状態で、一次側ユニット２と二次側ユニット３との間の非接触給電を行うことができ、低損失で所望の給電能力が得られる非接触給電装置１を備えた電気錠システムを実現することができる。
【００４７】
また本実施形態では、自己保持形の直動ソレノイド２７と、直動ソレノイド２７を駆動する駆動部２６とで駆動手段を構成しており、脚部４４を移動させる間だけ直動ソレノイド２７に通電すれば良く、脚部４４を移動させるとき以外は直動ソレノイド２７への給電が不要なので、電力消費を低減することができる。
【００４８】
なお駆動手段を直動ソレノイド２７で構成する代わりに、トルクリミッタ機構を有する回転モータと、回転モータの回転動作を往復動作に変換してケース４１を上下動させる伝達機構などで構成しても良く、この場合はケース４１が開閉扉１２と当接した際に、トルクリミッタ機構が作動して、回転モータの回転軸をスリップ動作させることで、脚部４４の移動を停止させれることができる。
【００４９】
また本実施形態では、開閉扉１２側と当接する脚部４４の部位、すなわちケース４１の下面に弾性を有するシート状の緩衝部材４９を貼着などの方法で取り付けてあり、ケース４１の下面が開閉扉１２と当接したときの衝突音が低減されて、ユーザに違和感を与えるのを防止することができる。また、一次側コア４２の脚部４４が開閉扉１２と衝突する際の衝撃が緩衝部材４９によって緩和されるので、一次側コア４２の脚部４４や脚部４４が当接する開閉扉１２の部位などの機械的強度を高めることができる。尚、脚部４４が当接する開閉扉１２側の部位に緩衝部材を設けても良く、上述と同様に脚部４４が当接したときの衝突音を低減することができる。
【００５０】
また解錠状態で開閉扉１２が開けられると、一次側コイルｎ１と二次側コイルｎ２との磁気的な結合がなくなり、一次側ユニット２から二次側ユニット３へ電力を供給することができなくなるので、開閉扉１２が開けられた状態では一次側ユニット２から二次側ユニット３への給電を停止させることが好ましい。そこで、開閉扉１２の開状態を検出して、開検知信号をマイコン２４に出力するリミットスイッチ（図示せず）を設け、リミットスイッチから開検知信号が入力された場合には、マイコン２４が、制御ＩＣ２３を用いてスイッチング電源回路２２の動作を停止させるようにしても良く、無負荷損失を低減して、消費電力をさらに低減することができる。
【００５１】
（実施形態２）
本発明の実施形態２について図８および図９を参照して説明する。尚、両脚部４４，４４を駆動する構成を除いては実施形態１で説明した電気錠システムの構成および動作と同様であるので、共通する構成要素には同一の符号を付して、図示および説明は省略する。
【００５２】
一次側コイルｎ１とボビン４５と巻付部４３とで構成されるコイルブロック４６は実施形態１と同様であるので、その説明は省略する。
【００５３】
一次側コア４２は、上述の巻付部４３と、巻付部４３の両端部と二次側コア５０の磁極面との間の磁路をそれぞれ形成する脚部４４，４４とで構成される。両脚部４４，４４は巻付部４３とは別体であって、側面視の形状が逆Ｔ字形に形成され、非磁性体により上面が開口した略箱状に形成されたケース４１の内部に収納されている。ケース４１の内部は仕切り壁によって３つの収納室に仕切られ、左右両側の収納室にはそれぞれ脚部４４，４４が収納され、扉枠１０に固定されたコイルブロック４６が中央の収納室に配置されている。ケース４１は、扉枠１０の内部に上下方向に沿って設けられた丸棒状のガイドレール１０ａ，１０ａに左右両側面が係合することで、ケース４１が扉枠１０内に収納される収納位置（図８（ａ）に示す位置）と、扉枠１０から開閉扉１２側へ突出する突出位置（図８（ｂ）に示す位置）との間で上下方向において移動自在に配置されている。
【００５４】
また扉枠１０の内部には、開閉扉１２の開閉方向に沿って回動自在に支持されたレバー部５３が設けられ、レバー部５３は扉枠１０下面の開口１０ｃから開閉扉１２側へ突出させた状態と、扉枠１０内部に全体が収納された状態との間で回動自在となっている。両脚部４４は図示しない付勢手段（例えばコイルばね）によって収納位置側へ付勢されており、閉じられた開閉扉１２がレバー部５３を押す力によって付勢手段の付勢力に抗して脚部４４を突出位置に向かって移動させるとともに、開閉扉１２が開けられてレバー部５３を押す力が無くなると付勢手段の付勢力によって脚部４４を収納位置側に移動させるリンク機構（図示せず）が設けられている。なおリンク機構は、レバー部５３の回転によってケース４１を上下動させるような構成であれば、どのような形態のものでも良く、周知のリンク機構を用いて実現すれば良い。
【００５５】
ここで、図９はレバー部５３の回転移動量と脚部４４の突出量との関係を示しており、チリ寸法が脚部４４の最大突出量Ｄ５以上の場合、図９に実線アで示すように、開閉扉１２を閉じる際には、開閉扉１２がレバー部５３に当たってから（回転移動量が０の位置）、開閉扉１２が完全に閉じられるまで（回転移動量が最大値Ｌ１となる位置）、脚部４４の突出量はリニアに増加する。また開閉扉１２を開く際には、開閉扉１２が完全に閉じられた位置（回転移動量が最大値Ｌ１となる位置）から、開閉扉１２がレバー部５３から離れる位置（回転移動量が０の位置）まで、脚部４４の突出量はリニアに減少する。
【００５６】
一方、チリ寸法が最大突出量Ｄ５より小さい場合は、ケース４１が開閉扉１２側に突出して開閉扉１２に当接すると、ケース４１はその位置で停止し、それ以上の下方への移動が規制されるため、図９に破線イ，ウで示すように脚部４４の突出量の最大値Ｄ４，Ｄ３は、上述の最大突出量Ｄ５よりも小さくなる。
【００５７】
以上説明したように本実施形態では開閉扉１２が閉じられると、開閉扉１２がレバー部５３を押して、レバー部５３が回転させられる。この時、レバー部５３の回転に応じてリンク機構が両脚部４４を収納位置から突出位置側へ移動させているので、開閉扉１２を閉じた状態では一次側コア４２の脚部４４を突出位置側へ移動させて、一次側コア４２と二次側コア５０との磁極対向距離を短縮することができる。したがって、一次側コア４２と二次側コア５０との間の磁気結合が高い状態で、一次側ユニット２と二次側ユニット３との間の非接触給電を行うことができ、低損失で所望の給電能力が得られる非接触給電装置１を備えた電気錠システムを実現することができる。
【００５８】
また開閉扉１２が開けられると、開閉扉１２がレバー部５３を押す力がなくなり、付勢手段の付勢力を受けて両脚部４４が収納位置側へ移動するので、開閉扉１２を開けた状態では両脚部４４を扉枠１０内に収納させることができ、その後開閉扉１２を閉じる際に開閉扉１２が脚部４４と干渉するのを防止することができる。
【００５９】
またリンク機構は、開閉扉１２がレバー部５３を押す力を受けて、両脚部４４を突出位置に向かって移動させているので、脚部４４を移動させるための電力が不要になり、電気錠システムの消費電力を低減することができる。
【００６０】
さらに本実施形態においても、開閉扉１２側と当接する脚部４４の部位、すなわちケース４１の下面に弾性を有するシート状の緩衝部材４９を貼着などの方法で取り付けても良く、ケース４１の下面が開閉扉１２と当接したときの衝突音が低減されて、ユーザに違和感を与えるのを防止でき、また一次側コア４２の脚部４４や脚部４４が当接する開閉扉１２の部位などの機械的強度を高めることができる。尚、脚部４４が当接する開閉扉１２側の部位に緩衝部材を設けても良く、上述と同様に脚部４４が当接したときの衝突音を低減することができる。
【００６１】
（実施形態３）
本発明の実施形態３について図１０〜図１２を参照して説明する。尚、両脚部４４，４４を駆動する構成を除いては実施形態１で説明した電気錠システムの構成および動作と同様であるので、共通する構成要素には同一の符号を付して、図示および説明は省略する。
【００６２】
一次側コイルｎ１とボビン４５と巻付部４３とで構成されるコイルブロック４６は実施形態１と同様であるので、その説明は省略する。
【００６３】
一次側コア４２は、上述の巻付部４３と、巻付部４３の両端部と二次側コア５０の磁極面との間の磁路をそれぞれ形成する脚部５５，５５とで構成される。両脚部５５，５５は巻付部４３とは別体であって、開閉扉１２の開閉方向に沿って回転する円板状の回転体からなり、扉枠１０の内部に配置されている。両脚部５５の回転軸５６は、一端側が扉枠１０に固定されたコイルばね５４（弾性付勢手段）によって、扉枠１０から開閉扉１２側へ突出する方向に付勢されており、開閉扉１２が開いた状態では脚部５５の下側部分が扉枠１０下面の開口１０ｂから下方に突出している。なお両脚部５５の位置に関係なく、両脚部５５と巻付部４３との間隔および対向面積は一定であるので、一次側コア４２の磁気抵抗は略一定に保たれている。
【００６４】
而して、開閉扉１２が開けられた状態では図１０（ａ）および図１１（ａ）に示すように、コイルばね５４のばね力によって両脚部５５の回転軸５６が下方に押圧されて、両脚部５５の下側部が開口１０ｂから下方に突出した状態となる。一方、開閉扉１２が閉じられると、閉まる開閉扉１２が両脚部５５に当接し、脚部５５は開閉扉１２からの力を受けて回転軸５６を中心に回転しながら、コイルばね５４が撓められることによって、両脚部５５が上側へ移動する。
【００６５】
ここで、開閉扉１２が両脚部５５に当接した際には、両脚部５５が自由回転しながら押し上げられるので、開閉扉１２の開閉動作に対して余分な負荷が加わらず、また両脚部５５は強磁性の弾性材料（例えば磁性粉を混入したラバー材料）により形成されているので、脚部５５に開閉扉１２が当接する際の衝突音を小さくできる。また脚部５５自体が弾性を有しており、脚部５５が開閉扉１２と衝突する際の衝撃が脚部５５の弾性で緩和されるから、脚部５５や脚部５５を支持する回転軸５６や脚部５５が当接する開閉扉１２の部位の機械的強度を高めることができる。
【００６６】
そして、開閉扉１２が閉じられた状態では、コイルばね５４のばね力によって両脚部５５が開閉扉１２に押し付けられた状態となり、両脚部５５が二次側コア５０の磁極面に近付けられることで、一次側コア４２と二次側コア５０との磁極対向距離を短縮できるから、磁気結合が高い状態で一次側ユニット２と二次側ユニット３との間の非接触給電を行うことができ、その結果、低損失で所望の給電能力が得られる非接触給電装置１を備えた電気錠システムを実現できる。また、コイルばね５４が両脚部５５の回転軸５６を付勢することによって、各脚部５５を突出位置側に移動させているので、脚部５５を移動させるための電力が不要になり、電気錠システムの消費電力を低減できる。
【００６７】
なお図１０および図１１に示す形態では脚部５５の全体が回転体で構成されているが、図１２（ａ）（ｂ）に示すように、開閉扉１２の開閉方向に沿って回転する円板状の回転体５５’と、支持アーム５８を介して回転体５５’を回転自在に支持する板状の支持片５７とで各脚部を構成しても良く、自由回転する部分を小さくできる。なお、支持片５７は上下方向において移動自在に配置されるとともに、支持片５７を図示しない弾性付勢手段により突出方向へ付勢してあり、上述と同様、開閉扉１２が閉じられた状態では弾性付勢手段のばね力によって回転体５５’が開閉扉１２に押し付けられた状態となり、回転体５５’が二次側コア５０の磁極面に近付けられることで、一次側コア４２と二次側コア５０との磁極対向距離を短縮できる。
【図面の簡単な説明】
【００６８】
【図１】実施形態１の電気錠システムに用いる一次側コアを示し、（ａ）は収納位置に移動した状態の説明図、（ｂ）は突出位置に移動した状態の説明図である。
【図２】同上に用いる一次側コアを示し、（ａ）は収納位置に移動した状態の斜視図、（ｂ）は突出位置に移動した状態の斜視図である。
【図３】同上のブロック図である。
【図４】同上の動作を説明する流れ図である。
【図５】同上に用いる一次側コアの変位を説明する説明図である。
【図６】同上を用いる電気錠システムの概略構成図である。
【図７】同上に用いる一次側コアを示し、（ａ）は収納位置に収納された状態の説明図、（ｂ）（ｃ）は突出位置に移動した状態の説明図である。
【図８】実施形態２の電気錠システムに用いる一次側コアを示し、（ａ）は開閉扉が開いた状態の斜視図、（ｂ）は開閉扉が閉じた状態の斜視図である。
【図９】同上に用いる一次側コアの変位を説明する説明図である。
【図１０】実施形態３の電気錠システムに用いる一次側コアを示し、（ａ）は開閉扉が開いた状態の説明図、（ｂ）は開閉扉が閉じた状態の説明図である。
【図１１】同上の一次側コアを示し、（ａ）は開閉扉が開いた状態の斜視図、（ｂ）は開閉扉が閉じた状態の斜視図である。
【図１２】同上の一次側コアの他の構成を示し、（ａ）は斜視図、（ｂ）は側面図である。
【符号の説明】
【００６９】
１  非接触給電装置
２  一次側ユニット
３  二次側ユニット
４  電気錠装置
１０  扉枠
１２  開閉扉
２２  スイッチング電源回路（高周波電源部）
２３  制御ＩＣ
２４  マイコン
２６  駆動部
２７  直動ソレノイド
３１  整流・平滑回路（安定化電源部）
３２  ＤＣ−ＤＣコンバータ（安定化電源部）
３３  制御回路
４２  一次側コア
４３  巻付部
４４  脚部
５０  二次側コア
ｎ１  一次側コイル
ｎ２  二次側コイル
【図１】
0005027709.tif 000002
【図２】
0005027709.tif 000003
【図３】
0005027709.tif 000004
【図４】
0005027709.tif 000005
【図５】
0005027709.tif 000006
【図６】
0005027709.tif 000007
【図７】
0005027709.tif 000008
【図８】
0005027709.tif 000009
【図９】
0005027709.tif 000010
【図１０】
0005027709.tif 000011
【図１１】
0005027709.tif 000012
【図１２】
0005027709.tif 000013